(57)【要約】【課題】ズームの調整や画像歪みの補正を精度よく行うことが可能なプロジェクターを提供することを目的とする。【解決手段】本発明のプロジェクター１は、可視域の第１の光Ｌ１を射出する第１の固体光源１１と、非可視域の第２の光Ｌ２を射出する第２の固体光源１８と、を備えた光源装置１０と、被照明領域５０ａにおいて、第１の光Ｌ１を第２の光Ｌ２と重畳させる重畳光学系３０と、を備えていることを特徴としている。【選択図】図１
2014224907.tif 000002
【特許請求の範囲】
【請求項１】
可視域の第１の光を射出する第１の固体光源と、非可視域の第２の光を射出する第２の固体光源と、を備えた光源装置と、
被照明領域において、前記第１の光を前記第２の光と重畳させる重畳光学系と、
を備えたプロジェクター。
【請求項２】
前記重畳光学系は、前記第１の光と前記第２の光を回折させる回折素子を含む請求項１に記載のプロジェクター。
【請求項３】
前記第１の固体光源と前記第２の固体光源とは、同一の基台上に並べて配置されている請求項２に記載のプロジェクター。
【請求項４】
前記光源装置は、互いに発光主波長の異なる複数の前記第１の固体光源を含み、
互いに発光主波長の異なる複数の前記第１の固体光源は、それぞれ別々の基台上に配置されており、
前記第２の固体光源は、前記第２の光として赤外域の光を射出し、
前記複数の第１の固体光源のうち最も発光主波長の長い第１の固体光源と前記第２の固体光源とが同一の基台上に並べて配置されている請求項３に記載のプロジェクター。
【請求項５】
前記光源装置は、互いに発光主波長の異なる複数の前記第１の固体光源を含み、
互いに発光主波長の異なる複数の前記第１の固体光源は、それぞれ別々の基台上に配置されており、
前記第２の固体光源は、前記第２の光として紫外域の光を射出し、
前記複数の第１の固体光源のうち最も発光主波長の短い第１の固体光源と前記第２の固体光源とが同一の基台上に並べて配置されている請求項３に記載のプロジェクター。
【請求項６】
前記第２の光によってスクリーン上に形成されるテストパターンを撮像する撮像装置と、
前記撮像装置によって撮像された前記テストパターンの画像を解析してズームの調整または画像歪みの補正を行う制御装置と、を備えている請求項１ないし５のいずれか１項に記載のプロジェクター。
【発明の詳細な説明】
【技術分野】
【０００１】
本発明は、プロジェクターに関するものである。
【背景技術】
【０００２】
プロジェクターにおいては、ズームの調整や画像歪み（台形歪みや糸巻き歪み）の補正を行うために、スクリーンにテストパターンを投射し、それを撮像装置で撮像して、スクリーンと投射光学系との相対位置（投射光学系に対するスクリーンの位置や傾斜角度など）を測定することがある。例えば、特許文献１には、ライン状に配列された４個の光源を用いて４個のドットパターンを形成し、ドット間の距離を測定することにより、スクリーンと投射光学系との傾斜角度を測定する方法が開示されている。
【先行技術文献】
【特許文献】
【０００３】
【特許文献１】特開２００５−１５０９１９号公報
【発明の概要】
【発明が解決しようとする課題】
【０００４】
特許文献１のプロジェクターでは、実画像用の投射光学系とテストパターン用の投射光学系とが別々に用意されている。そのため、部品点数が増加し、コストアップにつながる。また、それぞれの投射光学系が空間的に異なる位置に配置されているため、テストパターン用の投射光学系を用いて算出される制御値（ズーム比や画像歪みの補正値）と実画像において最適な制御値との間にずれが生じる。よって、ズームの調整や画像歪みの補正を精度よく行うことができないという課題がある。
【０００５】
本発明の目的は、ズームの調整や画像歪みの補正を精度よく行うことが可能なプロジェクターを提供することにある。
【課題を解決するための手段】
【０００６】
本発明のプロジェクターは、可視域の第１の光を射出する第１の固体光源と、非可視域の第２の光を射出する第２の固体光源と、を備えた光源装置と、被照明領域において、前記第１の光を前記第２の光と重畳させる重畳光学系と、を備えている。
【０００７】
この構成によれば、実画像用の第１の光とテストパターン用の第２の光とが重畳光学系を用いて被照明領域に重畳される。重畳された第１の光と第２の光は、共通の投射光学系を介してスクリーンの同一の領域に投射される。実画像用の投射光学系とテストパターン用の投射光学系とが共通化されるため、部品点数が削減され、コストダウンが図られる。また、実画像用の投射光学系とテストパターン用の投射光学系とが空間的に同じ位置に配置されるため、テストパターン用の投射光学系を用いて算出される制御値（ズーム比や画像歪みの補正値など）と実画像において最適な制御値との間にずれが生じる惧れが少ない。よって、ズームの調整や画像歪みの補正を精度よく行うことができる。
【０００８】
また、第２の固体光源が非可視域の第２の光を射出するため、第１の光によって実画像を表示しつつ第２の光を用いてズームの調整や画像歪みの補正を行うことができる。実画像の表示を停止せずにズームの調整や画像歪みの補正を行うことができるため、プロジェクターの使い勝手が向上する。
【０００９】
前記重畳光学系は、前記第１の光と前記第２の光を回折させる回折素子を含んでいてもよい。
【００１０】
この構成によれば、例えば、ＣＧＨ（Computer Generated Hologram）などのホログラムを含む回折素子を用いることで、第１の光と第２の光を精度よく被照明領域に重畳させることができる。
【００１１】
前記第１の固体光源と前記第２の固体光源とは、同一の基台上に並べて配置されていてもよい。
【００１２】
この構成によれば、部品点数が削減され、省スペース化が図られる。
【００１３】
前記光源装置は、互いに発光主波長の異なる複数の前記第１の固体光源を含み、互いに発光主波長の異なる複数の前記第１の固体光源は、それぞれ別々の基台上に配置されており、前記第２の固体光源は、前記第２の光として赤外域の光を射出し、前記複数の第１の固体光源のうち最も発光主波長の長い第１の固体光源と前記第２の固体光源とが同一の基台上に並べて配置されていてもよい。
【００１４】
この構成によれば、同一の基台上に配置される第１の固体光源と第２の固体光源の発光主波長が相対的に近くなる。回折素子によって第１の光と第２の光を回折させる場合、それぞれの光の波長が大きく異なると、これらの光を同じ方向に回折させることが難しくなる。本発明のように、第１の光と第２の光の波長を近接させることで、これらの光を同じ被照明領域に重畳させることが容易になる。
【００１５】
前記光源装置は、互いに発光主波長の異なる複数の前記第１の固体光源を含み、互いに発光主波長の異なる複数の前記第１の固体光源は、それぞれ別々の基台上に配置されており、前記第２の固体光源は、前記第２の光として紫外域の光を射出し、前記複数の第１の固体光源のうち最も発光主波長の短い第１の固体光源と前記第２の固体光源とが同一の基台上に並べて配置されていてもよい。
【００１６】
この構成によれば、同一の基台上に配置される第１の固体光源と第２の固体光源の発光主波長が相対的に近くなる。回折素子によって第１の光と第２の光を回折させる場合、それぞれの光の波長が大きく異なると、これらの光を同じ方向に回折させることが難しくなる。本発明のように、第１の光と第２の光の波長を近接させることで、これらの光を同じ被照明領域に重畳させることが容易になる。
【００１７】
前記第２の光によってスクリーン上に形成されるテストパターンを撮像する撮像装置と、前記撮像装置によって撮像された前記テストパターンの画像を解析してズームの調整または画像歪みの補正を行う制御装置と、を備えていてもよい。
【００１８】
この構成によれば、ズームの調整や画像歪みの補正を画像処理によって精度よく行うことができる。
【図面の簡単な説明】
【００１９】
【図１】第１実施形態のプロジェクターの模式図である。
【図２】プロジェクターに設けられる光源装置の正面図である。
【図３】第１の固体光源と第２の固体光源のスクリーン上の投影領域を示す図である。
【図４】第２実施形態のプロジェクターの要部構成を示す模式図である。
【図５】第３実施形態のプロジェクターの要部構成を示す模式図である。
【発明を実施するための形態】
【００２０】
［第１実施形態］
以下、図１〜図３を参照しながら、本発明の第１実施形態に係るプロジェクター１を説明する。なお、以下の全ての図面においては、図面を見やすくするために、各構成要素の寸法や比率などは適宜異ならせてある。
【００２１】
図１は、本実施形態のプロジェクター１の模式図である。図２は、プロジェクター１に設けられる光源装置１０の正面図である。図３は、スクリーンＳＣＲ上における第１の固体光源１１の投影領域と第２の固体光源１８の投影領域を示す図である。
【００２２】
図１に示すように、プロジェクター１は、照明装置４０と、光変調装置５０と、投射光学系６０と、撮像装置７０と、制御装置８０と、を備えている。
【００２３】
照明装置４０は、光源装置１０と、集光光学系２０と、重畳光学系３０と、を備えている。
【００２４】
光源装置１０は、第１の固体光源１１と、第２の固体光源１８と、コリメートレンズ１２と、を備えている。第１の固体光源１１は、可視域の第１の光Ｌ１を射出する実画像用の固体光源である。第２の固体光源１８は、非可視域の第２の光Ｌ２を射出するテストパターン用の固体光源である。実画像とは、ユーザーに視認させるためにスクリーンＳＣＲ上に映し出す画像をいう。テストパターンとは、ズームの調整や画像歪みの補正（キーストーン補正等）を行うためにスクリーンＳＣＲ上に映し出す画像をいう。
【００２５】
図２に示すように、光源装置１０は、同一の基台１９上に、第１の固体光源１１と第２の固体光源１８とが並べて配置された構成を有する。本実施形態の場合、第１の固体光源１１と第２の固体光源１８とが合わせて、縦方向に４個、横方向に６個並んだ構成となっているが、固体光源の配列はこれに限定されない。また、本実施形態では、第１の固体光源１１が２３個、第２の固体光源１８が１個となっているが、第１の固体光源１１と第２の固体光源１８の数はこれに限定されない。なお、基台１９は、第１の固体光源１１および第２の固体光源１８の実装領域や、第１の固体光源１１および第２の固体光源１８に駆動信号を供給する配線領域を備えた基板である。
【００２６】
図１に戻って、コリメートレンズ１２は、第１の固体光源１１と第２の固体光源１８の各々に対して１つずつ設けられている。第１の固体光源１１および第２の固体光源１８から射出された光は、それぞれコリメートレンズ１２によって平行化され、集光光学系２０に入射する。
【００２７】
第１の固体光源１１としては、例えば、可視域（３８０ｎｍ以上７５０ｎｍ以下の波長域）に発光強度が最大となる波長を有する光源が用いられる。具体的には、赤色光（例えば、波長が約６００ｎｍにおいて発光強度のピークを有する光）、緑色光（例えば、波長が約５４０ｎｍにおいて発光強度のピークを有する光）、青色光（例えば、波長が約４５０ｎｍにおいて発光強度のピークを有する光）または白色光を射出する発光ダイオード（Light Emitting Diode; LED）もしくは半導体レーザー（Laser Diode; LD）が第１の固体光源１１として用いられる。
【００２８】
第１の固体光源１１から射出された第１の光Ｌ１は、集光光学系２０および重畳光学系３０を介して光変調装置５０に入射する。光変調装置５０に入射した第１の光Ｌ１は、実画像用の画像信号に基づいて変調され、実画像用の画像光となる。実画像用の画像光は、投射光学系６０を介してスクリーンＳＣＲ上に投影され、実画像として表示される。
【００２９】
第２の固体光源１８としては、例えば、非可視域（３８０ｎｍよりも短い波長域または７５０ｎｍよりも長い波長域）に発光強度が最大となる波長を有する光源が用いられる。具体的には、赤外域（例えば、波長が約８００ｎｍ）に発光強度のピークを有する赤外光や紫外域（例えば、波長が約３００ｎｍ）に発光強度がピークを有する紫外光を射出する発光ダイオードもしくは半導体レーザーが第２の固体光源１８として用いられる。
【００３０】
第２の固体光源１８から射出された第２の光Ｌ２は、集光光学系２０および重畳光学系３０を介して光変調装置５０に入射する。光変調装置５０に入射した第２の光Ｌ２は、テストパターン用の画像信号に基づいて変調され、テストパターン用の画像光となる。テストパターン用の画像光は、投射光学系６０を介してスクリーンＳＣＲ上に投影され、テストパターンとして表示される。
【００３１】
集光光学系２０は、集光レンズ１３と、コリメートレンズ１４と、を備えている。光源装置１０から射出された第１の光Ｌ１および第２の光Ｌ２は、集光レンズ１３で一旦光束が細められ、コリメートレンズ１４で略平行化されて、重畳光学系３０に入射する。
【００３２】
重畳光学系３０は、回折素子１５と、重畳レンズ１６と、フィールドレンズ１７と、を備えている。重畳光学系３０は、光変調装置５０の被照明領域（画像形成領域）５０ａにおいて第１の光Ｌ１と第２の光Ｌ２とを重畳させる。なお、図１において、符号Ａｘは、回折素子１５の一次回折光の主光線と平行な光軸を示している。
【００３３】
回折素子１５は、第１の光Ｌ１と第２の光Ｌ２をそれぞれ被照明領域５０ａに向けて回折させる。回折素子１５は、光源装置１０に設けられた複数の固体光源（第１の固体光源１１および第２の固体光源１８）の各々に対応した図示略の複数のセルを備えている。各セルには、被照明領域５０ａ上に所定の照射パターンを形成するように設計された計算機ホログラム（Computer Generated Hologram : CGH）が設けられている。
【００３４】
光源装置１０から射出された複数の第１の光Ｌ１は、回折素子１５、重畳レンズ１６およびフィールドレンズ１７を介して被照明領域５０ａにおいて互いに重畳され、被照明領域５０ａにおいて均一な強度分布を有する第１の照射パターンを形成する。光源装置１０から射出された第２の光Ｌ２は、回折素子１５、重畳レンズ１６およびフィールドレンズ１７を介して、被照明領域５０ａにおいて均一な強度分布を有する第２の照射パターンを形成する。
【００３５】
第１の照射パターンと第２の照射パターンは、それぞれ被照明領域５０ａ全体を照明する。第１の照射パターンと第２の照射パターンの照射領域は、被照明領域５０ａ上で互いにぴったり重畳するように配置される。そのため、図３に示すように、第１の照射パターンをスクリーンＳＣＲ上に投影した第１の投影領域４１と、第２の照射パターンをスクリーンＳＣＲ上に投影した第２の投影領域４２は、スクリーンＳＣＲ上で一致している。
【００３６】
なお、第１の投影領域４１および第２の投影領域４２は、光変調装置５０の全画素を透過状態（変調を行わない状態）としたときの投影領域である。図３では、図面を見やすくするために、第１の投影領域４１と第２の投影領域４２を若干ずらして記載しているが、実際の投影領域は両者において完全に一致している。
【００３７】
図１に戻って、光変調装置５０は、照明装置４０から射出された第１の光Ｌ１を実画像用の画像信号に基づいて変調し、実画像用の画像光を形成する。光変調装置５０は、照明装置４０から射出された第２の光Ｌ２をテストパターン用の画像信号に基づいて変調し、テストパターン用の画像光を形成する。
【００３８】
光変調装置５０は、画像情報に応じて入射光を変調するものであればよい。光変調装置５０には複数の画素からなる画像形成領域が設けられている。画像形成領域が、被照明領域５０ａとなる。光変調装置５０としては、液晶パネルを用いた透過型もしくは反射型の液晶光変調装置や、マイクロミラーを用いたマイクロミラー型光変調装置などを用いることができる。マイクロミラー型光変調装置としては、例えば、ＤＭＤ（Digital Micromirror Device）（ＴＩ社の商標）を用いることができる。
【００３９】
投射光学系６０は、ズーム機能を有する。投射光学系６０は、ズーム比に応じてフォーカス位置を調整可能となっていることが好ましい。
【００４０】
撮像装置７０は、スクリーンＳＣＲ上に形成されるテストパターンを撮像する。撮像装置７０は、スクリーンＳＣＲの有効表示エリア（画像を表示可能なエリア）全体を撮像できるものであればよい。撮像装置７０としては、例えば、ＣＣＤカメラを用いることができる。撮像装置７０は、プロジェクター１の本体（筐体）に固定されていてもよく、プロジェクター１の本体とは別体に設けられていてもよい。
【００４１】
制御装置８０は、プロジェクター１の各部を統括制御する。制御装置８０は、ＣＰＵ（Central Processing Unit）などの演算手段、ＲＡＭ（Random Access Memory）やＲＯＭ（Read Only Memory）などの記憶手段、演算手段の演算結果に基づいて照明装置４０、光変調装置５０および投射光学系６０を駆動する駆動素子、およびこれらを相互に接続する内部バスなどを備えている。
【００４２】
制御装置８０は、撮像装置７０によって撮像された画像を取得する。制御装置８０は、撮像装置７０によって撮像されたテストパターンの画像を解析してズームの調整または画像歪みの補正を行う。例えば、ズームの調整を行う場合には、テストパターンに基づいて算出される制御値（ズーム比）に基づいて、投射光学系６０に含まれるレンズの位置を調整する。画像歪みの補正を行う場合には、テストパターンに基づいて算出される制御値（画像歪みの補正値）に基づいて、光変調装置５０に供給する画像信号を補正する。
【００４３】
ズームの調整や画像歪みの補正を行う方法としては、特開２０１０−１８３２１９号公報などに記載の公知の方法を採用することができる。ズーム比や画像歪みの補正値を演算する処理は一般的な処理であるため、その詳細な説明は省略する。
【００４４】
制御装置８０は、実画像用の第１の固体光源１１とテストパターン用の第２の固体光源１８の駆動を独立に制御する。制御装置８０は、実画像を表示する前の予備期間（電源投入後のプロジェクターの立ち上げ期間など）もしくは実画像の表示中に、第２の固体光源１８および撮像装置７０を用いてズームの調整や画像歪みの補正を行う。第２の固体光源１８は非可視域の光を射出するため、第２の固体光源１８によって形成されるテストパターンが実画像の表示品質を低下させることはない。よって、実画像の表示期間中にテストパターンを用いてズームの調整や画像歪みの補正を行うことができる。
【００４５】
以上説明した本実施形態のプロジェクター１によれば、以下の効果が得られる。
【００４６】
（１）本実施形態のプロジェクター１は、可視域の第１の光Ｌ１を射出する第１の固体光源１１と、非可視域の第２の光Ｌ２を射出する第２の固体光源１８と、を備えた光源装置１０と、被照明領域５０ａにおいて、第１の光Ｌ１を第２の光Ｌ２と重畳させる重畳光学系３０と、を備えている。
【００４７】
この構成においては、実画像用の第１の光Ｌ１とテストパターン用の第２の光Ｌ２とが重畳光学系３０を用いて被照明領域５０ａに重畳される。重畳された第１の光Ｌ１と第２の光Ｌ２は、共通の投射光学系６０を介してスクリーンＳＣＲの同一の領域に投射される。実画像用の投射光学系とテストパターン用の投射光学系とが共通化されるため、部品点数が削減され、コストダウンが図られる。また、実画像用の投射光学系とテストパターン用の投射光学系とが空間的に同じ位置に配置されるため、テストパターン用の投射光学系を用いて算出される制御値（ズーム比や画像歪みの補正値など）と実画像において最適な制御値との間にずれが生じる惧れが少ない。よって、ズームの調整や画像歪みの補正を精度よく行うことができる。
【００４８】
また、第２の固体光源１８が非可視域の第２の光Ｌ２を射出するため、第１の光Ｌ１によって実画像を表示しつつ第２の光Ｌ２を用いてズームの調整や画像歪みの補正を行うことができる。実画像の表示を停止せずにズームの調整や画像歪みの補正を行うことができるため、プロジェクターの使い勝手が向上する。
【００４９】
（２）本実施形態のプロジェクター１においては、重畳光学系３０は、第１の光Ｌ１と第２の光Ｌ２をそれぞれ被照明領域５０ａに向けて回折させる回折素子１５を含んでいる。この構成によれば、例えば、ＣＧＨ（Computer Generated Hologram）などのホログラムを含む回折素子１５を用いることで、第１の光Ｌ１と第２の光Ｌ２を精度よく被照明領域５０ａに重畳させることができる。
【００５０】
（３）本実施形態のプロジェクター１においては、第１の固体光源１１と第２の固体光源１８とは、同一の基台１９上に並べて配置されている。この構成によれば、部品点数が削減され、省スペース化が図られる。
【００５１】
［第２実施形態］
図４は、第２実施形態のプロジェクター２の要部構成を示す模式図である。図４では、本実施形態において特徴となる部分を拡大して模式化し、それ以外の部分の図示は大幅に簡略化している。本実施形態において、第１実施形態と共通する構成要素については、同じ符号を付し、詳細な説明は省略する。
【００５２】
本実施形態のプロジェクター２において、光源装置１０は、互いに発光主波長の異なる複数の第１の固体光源１１Ｒ，１１Ｇ，１１Ｂを含む。互いに発光主波長の異なる複数の第１の固体光源１１Ｒ，１１Ｇ，１１Ｂは、それぞれ別々の基台１９Ｒ，１９Ｇ，１９Ｂ上に配置されている。第２の固体光源１８は、第２の光として赤外域の光ＩＲを射出する。複数の第１の固体光源１１Ｒ，１１Ｇ，１１Ｂのうち最も発光主波長の長い第１の固体光源１１Ｒと第２の固体光源１８は同一の基台１９Ｒ上に並べて配置されている。第２の固体光源１８は、第１の固体光源１１Ｒが配置された基台１９Ｒのみに選択的に配置されており、それ以外の基台１８Ｇ，１８Ｂには配置されていない。
【００５３】
例えば、光源装置１０は、第１の光源部１０Ｒと、第２の光源部１０Ｇと、第３の光源部１０Ｂと、を備えている。第１の光源部１０Ｒは、第１の基台１９Ｒ上に、赤色光Ｒを射出する複数の第１の固体光源１１Ｒと、赤外域の光ＩＲを射出する第２の固体光源１８とを備えている。第２の光源部１０Ｇは、第２の基台１９Ｇ上に、緑色光Ｇを射出する複数の第１の固体光源１１Ｇを備えている。第３の光源部１０Ｂは、第３の基台１９Ｂ上に、青色光Ｂを射出する複数の第１の固体光源１１Ｂを備えている。第２の固体光源１８は、第１の基台１９Ｒのみに選択的に配置されており、それ以外の第２の基台１８Ｇおよび第３の基台１８Ｂには配置されていない。
【００５４】
第１の光源部１０Ｒから射出された第１の光Ｒ（赤色光）および第２の光ＩＲ（赤外域の光）は、第１の回折素子１５Ｒを含む第１の重畳光学系３０Ｒを介して第１の光変調装置５０Ｒに入射し、画像信号に基づいて第１の光変調装置５０Ｒによって変調される。第２の光源部１０Ｇから射出された第１の光Ｇ（緑色光）は、第２の回折素子１５Ｇを含む第２の重畳光学系３０Ｇを介して第２の光変調装置５０Ｇに入射し、画像信号に基づいて第２の光変調装置５０Ｇによって変調される。第３の光源部１０Ｂから射出された第１の光Ｂ（青色光）は、第３の回折素子１５Ｂを含む第３の重畳光学系３０Ｂを介して第３の光変調装置５０Ｂに入射し、画像信号に基づいて第３の光変調装置５０Ｂによって変調される。
【００５５】
第１の光変調装置１０Ｒ、第２の光変調装置１０Ｇおよび第３の光変調装置１０Ｂでそれぞれ変調された光は、ダイクロイックプリズムなどの合成光学系９０によって合成され、投射光学系６０によってスクリーン上に投影される。
【００５６】
ここで、第１の重畳光学系３０Ｒ、第２の重畳光学系３０Ｇおよび第３の重畳光学系３０Ｂは、第１実施形態の重畳光学系３０と同様の構成および機能を有する。第１の回折素子１５Ｒは、第１の光源部１０Ｒに設けられた複数の固体光源（第１の固体光源１１Ｒおよび第２の固体光源１８）の各々に対応した図示略の複数のセルを備えている。各セルには、被照明領域上に所定の照射パターンを形成するように設計された計算機ホログラム（Computer Generated Hologram : CGH）が設けられている。これにより、第１の回折素子１５Ｒは、第１の光Ｒと第２の光ＩＲをそれぞれ回折させる。
【００５７】
回折素子によって第１の光Ｒと第２の光ＩＲを回折させる場合、第１の光Ｒと第２の光ＩＲの波長が大きく異なると、第１の光Ｒと第２の光ＩＲを同じ方向に回折させることが難しくなる。本実施形態では、複数の第１の固体光源１１Ｒ，１１Ｇ，１１Ｂのうち最も発光主波長の長い第１の固体光源１１Ｒと、第２の固体光源１８と、が同一の基台１９Ｒ上に並べて配置されている。そのため、同一の基台１９Ｒ上に配置される第１の固体光源１１Ｒと第２の固体光源１８の発光主波長が相対的に近くなる。よって、第１の光Ｒと第２の光ＩＲを同じ被照明領域に重畳させることが容易になる。
【００５８】
以上のように、本実施形態のプロジェクター２によれば、同一の基台１９Ｒ上に並べて配置されている第１の固体光源からの光の波長と第２の固体光源からの光の波長とを互いに近接させることで、これらの光を同じ被照明領域に重畳させることが容易になる。よって、ズームの調整や画像歪みの補正を精度よく行うことができる。
【００５９】
［第３実施形態］
図５は、第３実施形態のプロジェクター３の要部構成を示す模式図である。図５では、本実施形態において特徴となる部分を拡大して模式化し、それ以外の部分の図示は大幅に簡略化している。本実施形態において、第２実施形態と共通する構成要素については、同じ符号を付し、詳細な説明は省略する。
【００６０】
本実施形態のプロジェクター３において、光源装置１０は、互いに発光主波長の異なる複数の第１の固体光源１１Ｒ，１１Ｇ，１１Ｂを含む。互いに発光主波長の異なる複数の第１の固体光源１１Ｒ，１１Ｇ，１１Ｂは、それぞれ別々の基台１９Ｒ，１９Ｇ，１９Ｂ上に配置されている。第２の固体光源１８は、第２の光として紫外域の光ＵＶを射出する。複数の第１の固体光源１１Ｒ，１１Ｇ，１１Ｂのうち最も発光主波長の短い第１の固体光源１１Ｂと第２の固体光源１８は同一の基台１９Ｂ上に並べて配置されている。第２の固体光源１８は、第１の固体光源１１Ｂが配置された基台１９Ｂのみに選択的に配置されており、それ以外の基台１８Ｒ，１８Ｇには配置されていない。
【００６１】
前述したように、回折素子によって第１の光Ｂと第２の光ＵＶを回折させる場合、それぞれの光Ｂ，ＵＶの波長が大きく異なると、これらの光Ｂ，ＵＶを同じ方向に回折させることが難しくなる。本実施形態では、複数の第１の固体光源１１Ｒ，１１Ｇ，１１Ｂのうち最も発光主波長の短い第１の固体光源１１Ｂと第２の固体光源１８とが同一の基台１９Ｂ上に並べて配置されている。そのため、同一の基台１９Ｂ上に配置される第１の固体光源１１Ｂと第２の固体光源１８の発光主波長が相対的に近くなる。よって、第１の光Ｂと第２の光ＵＶを同じ被照明領域に重畳させることが容易になる。
【符号の説明】
【００６２】
１，２，３…プロジェクター、１０…光源装置、１１，１１Ｒ，１１Ｇ，１１Ｂ…第１の固体光源、１５，１５Ｒ，１５Ｇ，１５Ｂ…回折素子、１８…第２の固体光源、１９，１９Ｒ，１９Ｇ，１９Ｂ…基台、３０，３０Ｒ，３０Ｇ，３０Ｂ…重畳光学系、５０ａ…被照明領域、７０…撮像装置、８０…制御装置、Ｌ１…第１の光、Ｌ２…第２の光、Ｒ…赤色光（第１の光）、Ｇ…緑色光（第１の光）、Ｂ…青色光（第１の光）、ＩＲ…赤外域の光（第２の光）、ＵＶ…紫外域の光（第２の光）、ＳＣＲ…スクリーン
【図１】
2014224907.tif 000003
【図２】
2014224907.tif 000004
【図３】
2014224907.tif 000005
【図４】
2014224907.tif 000006
【図５】
2014224907.tif 000007